(57)【要約】【課題】トランシーバがホスト装置に挿着されている状態で、各トランシーバの使用周波数帯域又はチャンネル番号を読み取ることができ、その識別を離れた所からでも容易に行なうことができるプラガブル光トランシーバを提供する。【解決手段】ホスト装置のケージ内に着脱可能に収納され、光コネクタとの間で光信号を送受し、ホスト装置との間で電気信号を送受するプラガブル光トランシーバ１であって、ケージ内への着脱を操作するベール８に、送受信の種別を識別するカラーコードラベル１１を付している。カラーコードラベル１１は、例えば、送受信波長の下２桁及び小数点以下第１位の桁、又はチャンネル番号を表示する。【選択図】図３
2006178021.tif 000002
【特許請求の範囲】
【請求項１】
ホスト装置のケージ内に着脱可能に収納され、光コネクタとの間で光信号を送受し、前記ホスト装置との間で電気信号を送受するプラガブル光トランシーバであって、
前記ケージ内への着脱を操作するベールに、送受信の種別を識別するカラーコードが付されていることを特徴とするプラガブル光トランシーバ。
【請求項２】
前記カラーコードは、送受信波長の下２桁及び小数点以下第１位の桁を表示することを特徴とする請求項１に記載のプラガブル光トランシーバ。
【請求項３】
前記カラーコードは、チャンネル番号を表示することを特徴とする請求項１に記載のプラガブル光トランシーバ。
【発明の詳細な説明】
【技術分野】
【０００１】
本発明は、波長の異なる複数の光信号を送受信するのに用いるプラガブル光トランシーバに関する。
【背景技術】
【０００２】
プラガブル光トランシーバは、発光素子と受光素子を備え、光コネクタを介して光信号を送受信する光モジュールで、複数の電子部品、電子回路及び回路基板が収納される本体部と、光コネクタが着脱可能に接続されるレセプタクル部とから成っている。このプラガブル光トランシーバ（以下、単にトランシーバという）は、例えば、ホスト装置のケージに着脱可能に挿入されて、ケージの奥部に配された電気コネクタと電気的に接続されるとともに、ケージ内への挿着がロックされる。
【０００３】
トランシーバとケージとの着脱機構としては、例えば、特許文献１に開示のように、回転可能なベール（取手）を備え、これを本体部のカバーに設けられたバネ部で押えるようにして本体に組み付ける構成のものが知られている。この構成は、ベールを定常位置から着脱可能な位置に回動することにより、ベールのカム部でアクチュエータを回動して、アクチュエータの係止突起をケージの係止孔から脱出させることで着脱できるようにしている。また、光コネクタがトランシーバに装着されている状態では、ベールを回動できないようにもされている。
【特許文献１】米国特許第６４３９９１８号明細書
【発明の開示】
【発明が解決しようとする課題】
【０００４】
通常、同一のホスト装置に、光伝送速度或いは光伝送距離等が異なる複数種のトランシーバを挿着して使用される。近年、波長の異なる複数の光信号を多重化したＷＤＭ（Wavelength Division Multiplex）、さらにはＤＷＤＭ（Dense Wavelength Division Multiplex）技術が進められているが、これらの送受信において、トランシーバは送受する信号の波長毎に異ならせた複数のものが用いられる。それぞれのトランシーバには、これらの波長或いはチャンネル番号を付して、ホスト装置の所定のポートに挿着されるように表示ラベルが付されている。
【０００５】
しかし、通常、これらの表示ラベルはトランシーバ製品の本体部に貼り付けられ、ホスト装置の挿着後はケージ内に隠れてしまう。このため、装置の点検、試験等でトランシーバの種別等を確認する場合は、トランシーバ前部に接続されている光ファイバコードの接続を外し、外部に引き出して確認することとなり、手間を要する作業となる。また、通常、表示ラベルには文字による識別が付されているが、トランシーバ製品が小型化されてきているため、文字表示が読み取り難いという問題もあった。
【０００６】
本発明は、上述した実情に鑑みてなされたもので、トランシーバをがホスト装置に挿着されている状態で、各トランシーバの使用周波数帯域又はチャンネル番号を読み取ることができ、その識別を離れた所からでも容易に行なうことができるプラガブル光トランシーバの提供を課題とする。
【課題を解決するための手段】
【０００７】
本発明によるプラガブル光トランシーバは、ホスト装置のケージ内に着脱可能に収納され、光コネクタとの間で光信号を送受し、ホスト装置との間で電気信号を送受するプラガブル光トランシーバであって、ケージ内への着脱を操作するベールに、送受信の種別を識別するカラーコードラベルを付している。カラーコードラベルは、例えば、送受信波長の下２桁及び小数点以下第１位の桁を表示する。また、カラーコードラベルは、チャンネル番号を表示するようにしてもよい。
【発明の効果】
【０００８】
本発明によれば、ホスト装置に挿着状態にあるトランシーバを引出すことなく、容易にその種別を識別することができるとともに、また、カラーコードによる表示で離れた位置からでも容易に読み取ることができる。この結果、トランシーバの種別の点検、確認等の作業性を大幅に高めることができる。また、ベール部分にカラーコードが付されていることで、製品のデザイン性を向上させることもできる。
【発明を実施するための最良の形態】
【０００９】
図により本発明の実施の形態を説明する。図１はプラガブル光トランシーバの未挿着状態を示す図、図２はプラガブル光トランシーバのケージへの挿着状態を示す図、図３は、本発明によるプラガブル光トランシーバを示す図、図４は本発明によるカラーコードラベルの貼りつけ部の詳細を示す図、図５は本発明で用いるカラーコードの一例を示す図である。図中、１はプラガブル光トランシーバ（トランシーバ）、２はケージ、３はフロントパネル、３ａはパネル開口、４は筐体基板、５は本体部、６はレセプタクル部、７は光コネクタ受納部、８はベール、８ａは軸部、８ｂは取手部、９は表示ラベル、１０は光コネクタ、１１はカラーコードラベル、１１ａ，１１ｂ，１１ｃはカラーコード、１１ｄは送受信方向マークを示す。
【００１０】
図１に示すように、プラガブル光トランシーバ（以下、トランシーバという）１は、例えば、レセプタクル部６の後部に本体部５が繋がった断面矩形の長方形体に形成される。トランシーバ１内には、発光素子、受光素子等の光部品、光信号の送受信を行なうための増幅素子等の電子部品や電子回路、及び、これらを実装するための回路基板を備えている。トランシーバ１は、ホスト装置のフロントパネル３に設けられたパネル開口３ａから筐体基板４に載置されたケージ２内に挿入され、ケージ２の奥部に配されたコネクタ（図示せず）により電気的に接続される。
【００１１】
レセプタクル部６内には、発光素子及び受光素子等が実装されていて、図２に示すように光コネクタ１０と光学的に接続され、光信号の送受信が行なわれる。このため、レセプタクル部６の前部には、光コネクタ１０が差し込まれる一対の開口からなる光コネクタ受納部７が設けられている。光コネクタ１０は、例えば、光コネクタ受納部７への挿入が係止されるタイプ（例えば、ＬＣコネクタ）のものが用いられる。レセプタクル部６には、トランシーバ１をケージ２内に挿入して、挿入をロックするためのベール８が設けられる。
【００１２】
図２は、トランシーバ１をケージ２内に挿着した状態を示し、この状態でトランシーバ１はホスト装置への挿着がロックされ、電気的に接続された状態となっている。このとき、ベール８は図に示すような回動位置にあって、光コネクタ１０の挿入が可能な状態となっている。光コネクタ１０が光コネクタ受納部７に挿入されると、ラッチ手段により挿入がラッチされると共に、ベール８の回動を阻止して、光コネクタ１０がはずされるまでは、トランシーバ１が取り出せないようにされている。
【００１３】
トランシーバ１の波長或いはチャンネル番号等の表示ラベル９は、従来は図１に示すように、本体部５の上面側に製品シリアル番号等の製品に関する表示ラベルと一緒に貼り付けている。しかし、図２に示すように、トランシーバ１をケージ２内に挿着すると、この表示ラベル９は読めなくなる。このため、点検、試験等で使用波長或いはチャンネル番号を確認する場合には、トランシーバ１をケージ２から引出さなければならないが、通信が途絶えてしまう他に光コネクタ１０を取り外すなどの作業も必要となり、かなりの手間を要する。
【００１４】
本発明においては、図３及び図４に示すように、トランシーバ１の着脱操作を行なうベール８の表面に、カラーコードによる波長或いはチャンネル番号等の送受信種別を表示するカラーコードラベル１１を付すようにしている。このため、ベール８はカラーコードラベル１１が貼りやすいように、その取手部８ｂの幅を通常のものより幅広に形成する。なお、製品シリアル番号等の製品に関する表示ラベルについては、従来通りに本体部の上面等に貼りつける。ベール８は軸部８ａで回動可能とされていて、図示の状態から前方にか移動させることにより、ケージ２とのロック状態を解除し、そのまま前方に引き抜くことにより取り出すことができる。また、挿着するには、ベール８を前方側に回動させた状態でケージ２内に押し込み、次いでベール８を図示の位置に戻すことにより挿着がロックされる。
【００１５】
カラーコードラベル１１は、取手部８ｂの形状に適合するように帯状に形成し、中央部にカラーコード１１ａ，１１ｂ，１１ｃからなる表示を付し、両側のスペース部分に、例えば、光信号の送信側か受信側かを識別するような送受信方向マーク１１ｄ等を付してもよい。カラーコードラベル１１は、製品に関する表示ラベルと対にして印刷で形成しておくと、番号間違いを起こすことなく作製することができる。しかし、カラーコード１１ａ，１１ｂ，１１ｃ部分は、複数種の小片として用意しておき、白紙のラベル上に貼りつけて所定のカラーコード表示ができるようにしてもよい。さらに、白紙のラベル上にペイント等で直接形成してもよい。
【００１６】
図５はカラーコードの一例を示す図である。ＷＤＭ伝送方式では、１，５５０ｎｍ帯の波長を、間隔０.８ｎｍ（＝１００ＧＨｚ）ずつずらして多重化してしている。波長帯域のＣバンド（１５３０ｎｍ〜１５６５ｎｍ）とＬバンド（１５６５ｎｍ〜１６２５ｎｍ）の使用帯域では６４波長が存在し、将来的に間隔０.４ｎｍになった場合は、１２８波長となる。したがって、これらの波長を表示するのに、整数の下二桁と小数点以下の一桁の計３桁をカラーコードで表示する。また、チャンネル数で表示する場合も、３桁で表示すれば十分対応することができる。
【００１７】
カラーコードと整数番号の割り当ては、例えば、電気抵抗値の表示で用いられているカラーコードを利用することができる。図５（Ｂ）は、その整数番号とカラーコードの対応表で、０＝黒，１＝茶・・・・・・８＝灰色，９＝白とされている。例えば、使用波長をＣバンドの１５５８.７ｎｍを表示する場合は、下三桁の５８.７を表示するものとして、十位のカラーコード１１ａを緑色、一位のカラーコード１１ｂを灰色、小数点以下一位のカラーコード１１ｃを紫色とする。これにより、当該トランシーバで送受信している使用波長は、１５５８.７ｎｍであると表示することができる。
【００１８】
また、十位のカラーコード１１ａと一位のカラーコード１１ｂとの間隔Ｄ１を狭く（例えば、０.２ｍｍ〜０.４ｍｍ）し、一位のカラーコード１１ｂと小数点以下一位のカラーコード１１ｃとの間隔Ｄ２をＤ１より大きく（例えば、０.５ｍｍ〜１.０ｍｍ）すると、波長を読み取りやすくすることができる。なお、カラーコード１１ａ，１１ｂ，１１ｃには、色の他にカラーの意味する整数番号を付しておいてもよい。
【００１９】
なお、表示のためのカラーコードの数は、あまり多くない方が好ましく、３色以下で表示するのが適当であるが、必要に応じて４色とすることもできる。また、カラーコードラベル１１に余白部分等があれば、この余白を利用して光信号の伝送距離情報（ＬＲ，ＳＲなど）や光伝送速度情報（１０Ｇｂｐｓ、２.５Ｇｂｐなど）を付加してもよい。
【００２０】
上述した表示を行なうことにより、ホスト装置に挿着状態にあるトランシーバを引出すことなく、容易にその種別を識別することができるとともに、また、カラーコードによる表示で離れた位置からでも容易に読み取ることができる。この結果、トランシーバの種別の点検、確認等の作業性を向上させることができる。また、ベール部分にカラーコードが付されていることで、トランシーバ製品としてのデザイン性を向上させることもできる。
【図面の簡単な説明】
【００２１】
【図１】プラガブル光トランシーバの未挿着状態を示す図である。
【図２】プラガブル光トランシーバのケージへの挿着状態を示す図である。
【図３】本発明によるプラガブル光トランシーバを示す図である。
【図４】本発明によるカラーコードラベルの貼りつけ部の詳細を示す図である。
【図５】本発明で用いるカラーコードの一例を示す図である。
【符号の説明】
【００２２】
１…プラガブル光トランシーバ（トランシーバ）、２…ケージ、３…フロントパネル、３ａ…パネル開口、４…筐体基板、５…本体部、６…レセプタクル部、７…光コネクタ受納部、８…ベール、８ａ…軸部、８ｂ…取手部、９…表示ラベル、１０…光コネクタ、１１…カラーコードラベル、１１ａ，１１ｂ，１１ｃ…カラーコード、１１ｄ…送受信方向マーク。
【図１】
2006178021.tif 000003
【図２】
2006178021.tif 000004
【図３】
2006178021.tif 000005
【図４】
2006178021.tif 000006
【図５】
2006178021.tif 000007